(57)【要約】【課題】  表面層が形成されていない光ディスクに対する記録・再生を良好に行い得る光ピックアップ装置を提供すること。【解決手段】  光ディスクの表面層と同一材質で且つ同一厚さの平面板７１を、対物レンズ２５に当接した状態で配置し、この平面板７１を対物レンズホルダ６０の内周壁６１に接着剤などで固定する。レーザー光源は、対物レンズ２５を通過したのち平面板７１を通過するが、このとき光ディスクの表面層に相当する屈折がなされる。このため、表面層が形成されていない光ディスクに対しては、記録層に集光する全てのレーザー光の焦点がほぼ一点になるようにレーザー光が照射される。この結果、表面層が形成されていない光ディスクへの記録・再生を良好に行うことができる。【選択図】  図２
2007317338.tif 000002
【特許請求の範囲】
【請求項１】
レーザー光を出射するレーザー光源と、前記レーザー光源から出射されるレーザー光を光ディスクに集光する対物レンズとを備えた光ピックアップ装置において、
前記対物レンズの光ディスクに対向する面に当接するように設けられ、光ディスクに形成される表面層と略同一の屈折率を有する材質で形成され、且つ、前記表面層と略同一の厚さを有する平面板を備えることを特徴とする、光ピックアップ装置。
【請求項２】
請求項１に記載の光ピックアップ装置において、
内壁および外壁を有し、一端に開口端が形成された筒状の対物レンズホルダをさらに備え、
前記対物レンズは、前記対物レンズホルダの前記内壁に囲まれる空間内に、前記光ディスクに対向する面が前記開口端から外方を向くように保持されていることを特徴とする、光ピックアップ装置。
【請求項３】
請求項２に記載の光ピックアップ装置において、
前記平面板は、前記対物レンズに当接した状態で前記対物レンズホルダの内壁に固定されていることを特徴とする、光ピックアップ装置。
【請求項４】
請求項３に記載の光ピックアップ装置において、
前記対物レンズホルダには、前記内壁に前記開口端側に面した段差面が形成され、
前記対物レンズおよび前記平面板は、前記対物レンズホルダの前記段差面と前記開口端との間の前記内壁で囲まれる空間内に配置していることを特徴とする、光ピックアップ装置。
【請求項５】
請求項２に記載の光ピックアップ装置において、
前記平面板を固定する固定部を有する固定ホルダをさらに備え、
前記平面板は前記固定ホルダに固定された状態で前記対物レンズホルダの前記開口端に載置されていることを特徴とする、光ピックアップ装置。
【請求項６】
請求項５に記載の光ピックアップ装置において、
前記固定ホルダは、前記固定部に連結するとともに前記外壁に面するように前記対物レンズホルダに装着されて前記固定部が前記対物レンズホルダの軸方向に対して傾斜することを防止するガイド部を有することを特徴とする、光ピックアップ装置。
【請求項７】
請求項５または６に記載の光ピックアップ装置において、
前記固定ホルダを固定する固定手段をさらに備えることを特徴とする、光ピックアップ装置。
【請求項８】
請求項７に記載の光ピックアップ装置において、
前記対物レンズホルダは、前記外壁から径方向外方に延びて形成された突部を有し、
前記固定手段が前記突部であることを特徴とする、光ピックアップ装置。
【請求項９】
請求項７に記載の光ピックアップ装置において、
前記固定手段は、前記対物レンズホルダを取り囲むように配置し少なくとも前記対物レンズの焦点距離を調整する焦点距離調整手段の一部または全部が収納された筐体であることを特徴とする、光ピックアップ装置。
【請求項１０】
請求項９に記載の光ピックアップ装置において、
前記筐体または前記固定ホルダのいずれか一方は、前記対物レンズホルダの軸方向に沿って延設された突起部を有し、
前記筐体または前記固定ホルダのいずれか他方は、前記対物レンズホルダの軸方向に貫通して形成された孔部を有し、
前記突起部が前記孔部を挿通した状態で前記固定ホルダが前記対物レンズホルダの軸方向へ移動することを規制することによって、前記固定ホルダが前記筐体に固定されることを特徴とする、光ピックアップ装置。
【発明の詳細な説明】
【技術分野】
【０００１】
本発明は、光ディスクにレーザー光を照射して光ディスクへの記録または再生を行う光ピックアップ装置に関する。
【背景技術】
【０００２】
光ディスクを評価する方法として、光ディスクに記録されたデータの再生を行い、再生信号の波形、再生２値化信号のジッタ、復号信号のエラー率などを測定し、その測定結果に基づいて評価を行う方法が従来から行われている。
【０００３】
通常、光ディスクの評価は完成した光ディスクに対して行われる。完成した光ディスクは記録層の上（表面）に保護層としての表面層が積層されている。この表面層の厚さは、コンパクトディスク（ＣＤ）では１．２ｍｍ、デジタルバーサタイルディスク（ＤＶＤ）あるいは高密度デジタルバーサタイルディスク（ＨＤ  ＤＶＤ）では０．６ｍｍ、ブルーレイディスクでは０．１ｍｍと決められている。よって、完成した光ディスクを評価するときには、表面層における屈折率をも考慮して、光ディスクにレーザー光を照射した際に記録層に集光する全てのレーザー光の焦点がほぼ一点になるように対物レンズの球面形状を設計する。
【０００４】
完成した光ディスクを評価する場合、その評価結果が不合格であると、その光ディスクに表面層を形成するための工数や材料費などが無駄になってしまう。したがって、光ディスクの製造業者からは、記録再生型光ディスクにおいては光ディスクに記録層を形成した段階で、再生型光ディスクにおいては記録層にデータを入力した（記録層にピットを形成した）段階で、表面層なしの状態の光ディスクの評価を行いたいという要望がある。
【０００５】
しかしながら、従来の光ディスクの評価に使用される光ピックアップ装置は、完成した光ディスクにレーザー光を照射したときに、記録層に集光する全てのレーザー光の焦点がほぼ一点になるように球面形状が決定された対物レンズを用いているので、表面層が形成されていない未完成の光ディスクに上記光ピックアップ装置からレーザー光を照射した場合には、表面層でのレーザー光の屈折がないことにより発生する球面収差によって記録層に結像される光スポットが大きくなり、記録精度、再生精度が悪くなる。このため、適正な評価を行うことができない。
【０００６】
上述の不具合を解消するためには、表面層が形成されていない光ディスクにレーザー光を照射したときに、記録層に集光する全てのレーザー光の焦点がほぼ一点になるような球面形状を有する対物レンズとなるように、対物レンズを加工することが考えられるが、そのような加工には特別な技術を要するために、光ピックアップ装置の製造コストが高騰してしまう。また、一旦そのような対物レンズに加工してしまった場合には、今度は完成した光ディスクにレーザーを照射した場合に球面収差の影響によって適正に記録・再生を行うことができなくなってしまう。
【０００７】
特許文献１には、レーザー光の光路中に収差補正用の平行平面板を挿入・退出可能なアクチュエータを備えた光ピックアップ装置が記載されている。このような光ピックアップ装置は、上記アクチュエータの駆動により光ディスクの種類に応じて平行平面板をレーザー光の光路中に挿入・退出させることにより、表面層の厚みの異なる複数種の光ディスクの記録・再生を行うことができる。また、特許文献２には、上記特許文献１と同じように、光源と光ディスクとの間に配置された対物レンズを通る光路上に、対物レンズの焦点距離を光ディスクの基板厚に応じて補正する平行平板を介挿可能とした光ディスク装置が記載されている。この光ディスク装置によっても、平行平板を光路中に取り付け、または取り外すことにより、異なる表面層の厚さの光ディスク装置の記録・再生を行うことができる。
【特許文献１】特開平０８−２９７８５３号公報
【特許文献２】特開平０５−２６６４９２号公報
【発明の開示】
【０００８】
上記特許文献１および特許文献２に記載の平面板は、光ディスクの表面層の厚さの差が異なることにより発生する収差を補正するためのものであるが、表面層が形成されていない（未完成の）光ディスクにレーザー光を照射したときに収差を補正して、記録層に集光する全てのレーザー光の焦点がほぼ一点になるようにするには、表面層と同じ厚さの平面板を介挿すればよい。しかしながら、光ディスクのうちの例えばブルーレイディスクは対物レンズの開口数（ＮＡ）が０．８５程度であるため、対物レンズとブルーレイディスク表面との間隔は０．２ｍｍより小さく、この間に特許文献１および２に示されたような平面板を介挿することは不可能である。
【０００９】
本発明は上記問題に対処するためなされたもので、その目的は、ブルーレイディスクのように記録・再生を行うときに対物レンズと光ディスク表面とが近接する場合においても、表面層が形成されていない光ディスクに対する記録・再生を良好に行い得る光ピックアップ装置を提供することにある。
【００１０】
上記目的を達成するため、本発明の特徴は、レーザー光を出射するレーザー光源と、前記レーザー光源から出射されるレーザー光を光ディスクに集光する対物レンズとを備えた光ピックアップ装置において、前記対物レンズの光ディスクに対向する面に当接するように設けられ、光ディスクに形成される表面層と略同一の屈折率を有する材質で形成され、且つ、前記表面層と略同一の厚さを有する平面板を備えた光ピックアップ装置とすることにある。この場合、内壁および外壁を有し、一端に開口端が形成された筒状の対物レンズホルダをさらに備え、前記対物レンズは、前記対物レンズホルダの前記内壁に囲まれる空間内に、前記光ディスクに対向する面が前記開口端から外方を向くように保持されていると良い。
【００１１】
上記した本発明によれば、光ディスクに形成される表面層と略同一の屈折率を有し、且つ上記表面層と略同一厚さの平面板が対物レンズに当接して設けられているので、この平面板にてレーザー光源からのレーザー光が屈折することによって、光ディスクに形成されるべき表面層におけるレーザー光の屈折を賄うことができる。したがって、本発明に係る光ピックアップ装置から出射されるレーザー光を表面層が形成されていない光ディスクに照射した場合には、光ディスクの記録層に集光する全てのレーザー光の焦点がほぼ一点になり、記録層における照射スポット径を小さくすることができる。このため、対物レンズを加工することなしに、表面層が形成されていない光ディスクに対して記録・再生を良好に行い得る光ピックアップ装置を安価に提供することができる。
【００１２】
この場合、前記平面板は、前記対物レンズに当接した状態で前記対物レンズホルダの内壁に固定されているのが良い。さらに、前記対物レンズホルダは、前記内壁に前記開口端側に面した段差面が形成され、前記対物レンズおよび前記平面板は、前記対物レンズホルダの前記段差面と前記開口端との間の前記内壁で囲まれる空間内に配置しているのが良い。このようにして対物レンズホルダ内に対物レンズおよび平面板を固定することにより、平面板を安定的に固定することができる。また、既存の光ピックアップ装置の対物レンズホルダを僅かに加工するだけの簡単な作業により、表面層が形成されていない光ディスクの記録・再生を行うことができる。また、予め対物レンズホルダ内に平面板が組み込まれる構成であるので、特許文献１に記載の装置のように対物レンズと光ディスクとの間に平面板を出し入れする必要がなく、ブルーレイディスクのような、記録・再生中に対物レンズとの距離が非常に小さくなるものにおいても効果的に本発明の構成に係る光ピックアップ装置を適用でき、表面層が形成されていないブルーレイディスクその他の光ディスクの記録・再生を良好に行うことができる。
【００１３】
また、本発明の光ピックアップ装置は、前記平面板を固定する固定部を持つ固定ホルダをさらに備え、前記平面板は前記固定部に固定された状態で前記対物レンズホルダの前記開口端に載置されているように構成してもよい。このように構成すれば、平面板を対物レンズホルダに取り付けるための加工さえ要せず、既存の対物レンズホルダに平面板が固定された固定ホルダを取り付けるのみで、表面が形成されていない光ディスクの記録・再生を行い得る光ピックアップ装置とすることができる。また、予め対物レンズホルダの開口端上に平面板が固定ホルダとともに装着される構成であるので、特許文献１に記載の装置のように対物レンズと光ディスクとの間に平面板を出し入れする必要がなく、ブルーレイディスクのような対物レンズとの距離が小さいものにおいても効果的に本発明の構成に係る光ピックアップ装置を適用でき、表面層が形成されていないブルーレイディスクその他の光ディスクの記録・再生を良好に行うことができる。
【００１４】
また、固定ホルダは、前記固定部に連結するとともに前記外壁に面するように前記対物レンズホルダに装着されて前記固定部が前記対物レンズホルダの軸方向に対して傾斜することを防止するガイド部を有するものであると良い。ガイド部によって固定ホルダがガイドされて、平面板が対物レンズホルダの軸方向に対して傾斜するのが防止または抑制される。この場合、前記固定ホルダを固定する固定手段をさらに備えるようにすると良い。固定手段によって固定ホルダを固定することにより、固定ホルダに固定された平面板の傾きを確実に防止することができる。上記固定手段としては、前記対物レンズホルダに前記外壁から径方向外方に延びて突部を形成し、この突部を前記固定手段としてもよい。この突部を用いて固定ホルダを固定するには、例えば、この突部上に固定ホルダを載置し、両者を接着剤などによって固定する方法が挙げられる。このような構成によれば、対物レンズホルダに突部を形成または付加するという簡単な加工をするのみで、固定ホルダを確実に固定することができるといった効果を奏する。
【００１５】
また、前記対物レンズホルダを取り囲むように配置し少なくとも前記対物レンズの焦点距離を調整する焦点距離調整手段の一部または全部が収納された筐体を固定手段とすることもできる。上記筐体は、光ピックアップ装置における既存の構成であるので、この既存の構成を固定手段として用いることにより、新たに固定手段としての構成を付加する必要がない。したがって、コストアップせずに固定手段を設けることができる。この筐体を用いて固定ホルダを固定するには、例えば、この筐体上に固定ホルダを載置し、両者を接着剤などによって固定する方法が上げられる。
【００１６】
前記筐体が前記固定ホルダの近傍に配置している場合には、上記したように接着剤などにより前記固定ホルダを前記筐体に接着して、前記筐体を前記固定手段とすることができる。しかし、前記筐体が前記固定ホルダから離間して配置している場合には、接着剤などにより前記固定ホルダを前記筐体に接着することは困難である。このような場合、前記筐体または前記固定ホルダのいずれか一方は、前記対物レンズホルダの軸方向に沿って延設された突起部を有し、前記筐体または固定ホルダのいずれか他方は、前記対物レンズホルダの軸方向に貫通して形成された孔部を有し、前記突起部が前記孔部を挿通した状態で前記固定ホルダが前記対物レンズホルダの軸方向へ移動することを規制することによって、前記固定ホルダが前記筐体に固定されるようにすると良い。このように構成することにより、前記固定ホルダと前記筐体とが離間している場合であっても、両者を固定することができる。さらに、前記突起部を専用の工具などで折るなどして除去すれば、固定ホルダとともに平面板を取り外すこともでき、この場合は表面層が形成されている完成した光ディスクの記録・再生を良好に行うことができる。なお、前記突起部および孔部は、前記固定ホルダと前記筐体とのそれぞれどちらに形成されていてもよいが、前記筐体側に突起部が形成され、前記固定ホルダ側に孔部が形成されていれば、筐体内の部品と突起部との干渉や、筐体内への接着剤などの混入を防止することができる。
【発明を実施するための最良の形態】
【００１７】
以下、本発明の実施形態について説明する。図１は、ＣＤ、ＤＶＤ、ＨＤ  ＤＶＤ、ブルーレイディスクなどの光ディスクＤＫを検査する検査装置の全体概略図である。この検査装置は、光ディスクＤＫを回転駆動する駆動装置１０と、光ディスクＤＫにレーザー光を照射するとともに同照射による光ディスクＤＫからの反射光を受光する光ピックアップ装置２０とを備えている。
【００１８】
駆動装置１０は、光ディスクＤＫを回転駆動するためのスピンドルモータ１１および光ディスクＤＫを径方向に移動させるフィードモータ１２を備えている。スピンドルモータ１１の回転軸１１ｂにはターンテーブル１３が固定されており、同ターンテーブル１３上に光ディスクＤＫが着脱可能に組み付けられるようになっている。スピンドルモータ１１の回転は、スピンドルモータ制御回路１４によって制御される。
【００１９】
フィードモータ１２は、スクリューロッド１５を介して、スピンドルモータ１１を固定支持するとともに光ディスクＤＫの径方向の移動のみが許容された支持部材１６に連結されている。スクリューロッド１５は、その一端にてフィードモータ１２の回転軸に一体回転するように連結され、その他端に支持部材１６に固着されたナット（図示省略）に螺合している。したがって、フィードモータ１２が回転すると、スピンドルモータ１１、ターンテーブル１３および支持部材１６はスクリューロッド１５およびナットからなるねじ機構により光ディスクＤＫの径方向に変位する。フィードモータ１２は、フィードモータ制御回路１７によって制御される。これらのスピンドルモータ１１およびフィードモータ１２は、光ピックアップ装置２０からレーザー光が光ディスクＤＫに照射されているときに駆動して、光ディスクＤＫが受けるレーザー光の照射位置を連続的に変更する。
【００２０】
光ピックアップ装置２０は、レーザー光源２１、コリメートレンズ２２、偏光ビームスプリッタ２３、１／４波長板２４、対物レンズ２５、凸レンズ２６、シリンドリカルレンズ２７およびフォトディテクタ２８を備えている。そして、この光ピックアップ装置２０においては、レーザー光源２１からのレーザー光を、コリメートレンズ２２、偏光ビームスプリッタ２３、１／４波長板２４及び対物レンズ２５を介して、光ディスクＤＫに集光させ、光ディスクＤＫ上に光スポットを形成する。
【００２１】
また、この光ディスクＤＫに形成された光スポットからの反射光は、対物レンズ２５、１／４波長板２４、偏光ビームスプリッタ２３、凸レンズ２６及びシリンドリカルレンズ２７を介して、フォトディテクタ２８に導かれて受光される。フォトディテクタ２８は、受光した反射光に応じた受光信号を出力する。この受光信号は評価手段３０に入力される。評価手段３０では、入力された受光信号をもとに再生信号を生成し、再生信号の波形、再生２値化信号のジッタ、復号信号のエラー率などを測定して、その測定結果に基づいて光ディスクＤＫに記録・再生が正しく行われているかの評価を行う。評価手段３０は、評価結果をコントローラ４０に供給する。したがって、コントローラ４０は、これらの評価結果を用いて光ディスクＤＫを検査することになる。コントローラ４０には、キーボードなどの入力装置５０も接続されている。入力装置５０は、この検査装置の動作に関するユーザによる指示を入力するもので、例えばレーザー光源２１に対する発光を指示する。
【００２２】
レーザー光源２１から発せられるレーザー光の光路途中に配置している対物レンズ２５は、対物レンズホルダによって保持されている。図２は、対物レンズ２５および後述する平面板７１が対物レンズホルダ６０に取り付けられた構成を示す断面図である。図に示すように、対物レンズホルダ６０は、内周壁６１および外周壁６２を有し、一端に開口端６３が形成された円筒形状を呈している。また、内周壁６１の所定位置には開口端６３側に面した段差面６４が形成されており、段差面６４よりも図示上側の部分の内径は、段差面６４よりも図示下側の部分の内径よりも大きくされている。
【００２３】
また、対物レンズ２５は、レーザー光を屈折する曲面を持つレンズ部２５ａと、レンズ部２５ａの側周に形成された把持部２５ｂを有している。レンズ部２５ａは、完成した光ディスクにレーザー光を照射して記録・再生を行う既存の光ピックアップ装置に使用されるものと同一の曲面形状とされている。また、把持部２５ｂが形成されている部分の外径は、対物レンズホルダ６０の段差面６４よりも図示上方の部分の内径よりも僅かに小さく、且つ、対物レンズホルダ６０の段差面６４よりも図示下方の部分の内径よりも大きくされている。そして、対物レンズ２５は、段差面６４に把持部２５ｂが載置され、光ディスクＤＫに対向する側の面（表面Ａ）が開口端６３から外方を向くような姿勢で対物レンズホルダ６０に保持されている。なお、レーザー光源２１から出射されるレーザー光は、対物レンズホルダ６０の内周側を通って対物レンズ２５に図示下方向から入射し、図示上方に出射する。
【００２４】
また、図に示すように、対物レンズ２５の図示上面には平面板７１が配置している。この平面板７１は、光ディスクＤＫに形成すべき表面層と同一の材質および厚みを持って形成されている。例えば検査装置により検査すべき光ディスクがブルーレイディスクである場合には、ブルーレイディスクの表面層の材質はポリカーボネートであり、厚さは０．１ｍｍであるから、この平面板７１の材質もポリカーボネートで、その厚さが０．１ｍｍとされる。この場合、平面板７１を独自に作製するのではなく、ブルーレイディスクに使用する表面層そのもので平面板７１を作製すると、作製の手間が省けてよい。この平面板７１は、円板状に形成されており、外径が対物レンズホルダ６０の段差面よりも上側の部分の内径よりも僅かに小さくされている。そして、図に示すようにその下面で対物レンズ２５の表面Ａに当接した状態で、その側周面が対物レンズホルダ６０の内周壁６１に接着剤などにより接着されて、対物レンズホルダ６０に固着されている。
【００２５】
図８は、対物レンズ２５や対物レンズホルダ６０付近の構造を示す概略斜視図である。図８からわかるように、対物レンズホルダ６０は、筐体８０に取り囲まれている。この筐体８０には、対物レンズ２５を通過したレーザー光が光ディスクＤＫの記録層にて焦点を結ぶように焦点距離を調整するためのフォーカシングコイルなど（図示省略）の焦点距離調整手段が収納されている。なお、焦点距離調整手段としては、上記フォーカシングコイルのほかにマグネットなどがあるが、マグネットなどは筐体８０の外部に配置していてもよい。そして、図に示すように対物レンズホルダ６０は筐体８０の上面にて開口端６３が開口するように配置している。なお、対物レンズホルダ６０は、筐体８０とは別体に構成される場合もあるが、筐体８０と一体に構成される場合もあり、この場合は、対物レンズ２５は筐体８０の対物レンズホルダに相当する部分に取り付けることになる。
【００２６】
図２に示す構成のように、対物レンズ２５の光ディスクＤＫに対向する側の面（表面Ａ）に、光ディスクＤＫの表面層に相当する材質および厚みを持った平面板７１を当接させて、これらが一体として対物レンズホルダ６０の内周側に固定することにより、対物レンズ２５を通過したレーザー光が光ディスクＤＫに照射される前に光ディスクＤＫの表面層に相当する平面板７１を通過して、この平面板７１によって表面層分の屈折がなされる。したがって、表面層が形成されていない光ディスクＤＫがターンテーブル１３にセットされている場合には、光ディスクＤＫの記録層に集光する全てのレーザー光の焦点がほぼ一点になり、記録層における照射スポットが最小となる。このため、本実施形態に係る光ピックアップ装置２０は、表面層が形成されていない未完成の光ディスクＤＫの記録・再生を良好に行うことができる。よって、このような光ピックアップ装置２０を用いた本実施形態の検査装置は、表面層が形成されていない光ディスクＤＫの検査を適正に行うことができる。
【００２７】
また、図２に示す構成は、予め対物レンズホルダ６０内に平面板７１が組み込まれて固定されている構成であり、ブルーレイディスクのような、記録・再生中に対物レンズとの距離が非常に小さくなるものにおいても適用できる。
【００２８】
図７は、対物レンズが対物レンズホルダに取り付けられている既存の構成を示す断面図である。図２と図７とを比較してわかるように、本実施形態に係る図２に示した対物レンズホルダ６０は、図７に示す対物レンズホルダ６０’に比べ、段差面６４が形成されている位置が開口端６３から離れた位置にある。つまり、段差面６４から開口端６３までの間の距離が、図７に示す対物レンズホルダ６０’における段差面６４’から開口端６３’までの間の距離よりも長くされている。したがって、図７に示す既存の対物レンズホルダ６０’に対し、段差面６４’がもう少し深い位置になるように座ぐり加工などを施すのみで、本実施形態に係る対物レンズホルダ６０を作製することができる。また、図２に示す構造は、まず対物レンズホルダ６０に対物レンズ２５を入れて段差面６４に対物レンズ２５の把持部２５ｂを載置させ、その後、平面板７１を対物レンズ２５の上面側に置き、平面板７１の側周面と対物レンズホルダ６０の内周壁６１との間に接着剤を塗布するのみで完成するので、簡単に形成することができ、作業効率が良い。
【００２９】
図３は、対物レンズおよび平面板が対物レンズホルダへ取り付けられた構成の別例を示す断面図である（図２と同一部分については同一符号で示す。）。図３に示す構成によれば、対物レンズ２５は、図２に示した場合と同様に対物レンズホルダ６０の内周壁６１に形成された段差面６４に載置された状態で対物レンズホルダ６０の内周側に配置されている。一方、平面板７１は、対物レンズホルダ６０の内周側ではなく、対物レンズホルダ６０の開口端６３上に載置されている。また、平面板７１は平面板固定ホルダ７５によって固定されている。この平面板固定ホルダ７５は、内周側に段差面７６を持ったリング形状に形成されており、固定部７７およびガイド部７８を有している。
【００３０】
固定部７７は、図に示すように段差面７６よりも図示上側の部分で構成され、平面板７１よりも僅かに大きい内径を持つ内壁部７７ａを有している。この内壁部７７ａに平面板７１がはめ込まれ、平面板７１の外周面と内壁部７７ａとの間に接着剤などが塗布されることによって、平面板７１が固定部７７に固定される。ガイド部７８は固定部７７に連結しており、段差面７６よりも図示下部の部分で構成される。ガイド部７８は、対物レンズホルダ６０の外径よりも僅かに大きい内径を持つ内壁部７８ａを有し、この内壁部７８ａが対物レンズホルダ６０の外周壁６２に面するように対物レンズホルダ６０に装着される。ガイド部７８の内壁部７８ａと対物レンズホルダ６０の外周壁６２との間のクリアランスは、ガイド部７８を対物レンズホルダ６０の外周に取り付けたときにガイド部７８が対物レンズホルダ６０の軸方向に移動可能であるが、傾いた状態にはならない程度のものであるのが良い。
【００３１】
上記構成の平面板固定ホルダ７５は、固定部７７に固定されている平面板７１が対物レンズ２５の表面に当接した状態で対物レンズホルダ６０の開口端６３に載置されるとともに、ガイド部７８の内壁部７８ａが対物レンズホルダ６０の開口端６３の図示直下に位置する部分の外周壁６２に対面するように、対物レンズホルダ６０に装着される。このように装着されることによって、ガイド部７８の内壁部７８ａと対物レンズホルダ６０の外周壁６２との面接触により固定部７７が対物レンズホルダ６０の軸方向に対して傾斜するのが防止または抑制される。よって、平面板固定ホルダ７５および平面板７１を対物レンズホルダ６０にがたつくことなく取り付けることができる。また、この状態で、平面板固定ホルダ７５のガイド部７８と対物レンズホルダ６０の外周壁６２との間の空間に接着剤などを塗布し、平面板固定ホルダ７５を対物レンズホルダ６０に固定すれば、平面板固定ホルダ７５のがたつきを確実に防止することができる。
【００３２】
図３のように構成した場合でも、対物レンズ２５を通過したレーザー光が光ディスクＤＫに照射される前に光ディスクＤＫの表面層に相当する平面板７１を通過して、この平面板７１によって表面層分の屈折がなされる。したがって、表面層が形成されていない光ディスクＤＫがターンテーブル１３にセットされている場合には、光ディスクの記録層に集光する全てのレーザー光の焦点がほぼ一点になり、記録層における照射スポットが最小となる。このため、本実施形態に係る光ピックアップ装置２０は、表面層が形成されていない未完成の光ディスクＤＫの記録・再生を良好に行うことができる。また、図３に示す構成は、予め対物レンズホルダ６０の開口端６３上に平面板７１が組み込まれている構成であり、ブルーレイディスクのような、記録・再生中に対物レンズとの距離が非常に小さくなるものにおいても適用できる。
【００３３】
図３に示す構造と図７に示す構造とを比較すると、対物レンズおよび対物レンズホルダの構造は同一であり、図７の構造に対して新たに平面板固定ホルダ７５と平面板７１を付加することによって図３に示す構造とすることができる。したがって、対物レンズ２５および対物レンズホルダ６０自体の加工を行う必要がなく、既存の光ピックアップ装置を転用し、これに新たに平面板固定ホルダ７５と平面板７１を取り付けることで、表面層の形成されていない光ディスクの記録・再生を行うことができるようになる。また、図７に示す構造から図３に示す構造に変更するまでの作業も、平面板７１を平面板固定ホルダ７５の固定部７７に入れて、平面板７１の外周面と固定部７７の内壁部７７ａとの間に接着剤を塗布して固着し、次いで対物レンズホルダ６０に対物レンズ２５を取り付け、その後に平面板固定ホルダ７５を平面板７１ごと対物レンズホルダ６０に取り付け、必要に応じて対物レンズホルダ６０の外周壁６２と平面板固定ホルダ７５のガイド部７８との間に接着剤を塗布するのみで完成する。このように構造の変更を簡単に行うことができ、作業効率が良い。
【００３４】
図４は、対物レンズおよび平面板が対物レンズホルダへ取り付けられた構成のさらに別の例を示す断面図である（図３と同一部分については同一符号で示す。）。この例では、図に示すように、対物レンズホルダ６０の外周壁６２から径方向外方に延びた環状突部６５が形成されている。このとき、対物レンズホルダ６０の開口端６３から環状突部６５までの距離が、平面板固定ホルダ７５のガイド部７８の軸方向長さとほぼ同じとなるように、環状突部６５の位置、あるいはガイド部７８の長さが調整される。そして、環状突部６５の図示上面に平面板固定ホルダ７５が載置され、接着剤などによってガイド部７８の図示下面が環状突部６５の図示上面に固定される。こうして平面板固定ホルダ７５を環状突部６５に固定することにより、平面板固定ホルダ７５および平面板７１のがたつきを確実に防止することができる。この場合、既存の光ピックアップ装置の対物レンズホルダに上記環状突部６５に相当する突起があるようなものであれば、この突起を上記環状突部に見立て、同突起上に平面板固定ホルダ７５を載置固定することにより、対物レンズホルダを加工することなしに表面層が形成されていない光ディスクの記録・再生を行うことができる。
【００３５】
図５は、対物レンズおよび平面板が対物レンズホルダへ取り付けられた構成のさらに別例を示す断面図である（図３と同一部分については同一符号で示す。）。図５に示す構造によれば、平面板固定ホルダ７５を、図８に示すように対物レンズホルダ６０を取り囲むように配置される筐体８０の上部に接着剤などで固定している。
【００３６】
図８に示すような構造である場合、対物レンズホルダ６０は、その開口端６３が筐体８０の上面に僅かに突き出るような状態で配置しているので、開口端６３に平面板固定ホルダ７５を取り付けた場合、平面板固定ホルダ７５のガイド部７８の下面と筐体８０の上面とが図５に示すように近接する。したがって、平面板固定ホルダ７５を固定するための固定手段として筐体８０を利用し、平面板固定ホルダ７５のガイド部７８の下面と筐体８０の上面との間の隙間に接着剤などを塗布することによって、平面板固定ホルダ７５を筐体８０の上面に固定することができる。このような構造であれば、既存の構造を何ら変更することなく、表面層が形成されていない光ディスクの記録・再生を行うことができるとともに、対物レンズホルダ６０の開口端６３上に載置される平面板７１のがたつきを効果的に防止することができる。また、図５に示す構造は、対物レンズホルダ６０に対物レンズ２５を取り付け、対物レンズホルダ６０を筐体８０に取り付けた後、筐体８０の上面に接着剤を塗布し、平面板固定ホルダ７５を接着剤が塗布された筐体８０の上面部分に当接し、上から押し付けることにより完成する。この場合、図３または図４に示す構造と比べ、接着剤の塗布工程をより簡便に行うことができる。
【００３７】
図６は、対物レンズおよび平面板が対物レンズホルダへ取り付けられた構成の別例を示す断面図である（図５と同一部分については同一符号で示す。）。この例は、図５に示す構造において、筐体８０の上面と平面板固定ホルダ７５とが離間している場合に有効である。図６に示すように、筐体８０の上面には、対物レンズホルダ６０の軸方向に沿って突起８１が形成されている。また、平面板固定ホルダ７５は、ガイド部７８の径方向外方に取り付け部７９を有しており、この取り付け部７９には図示上下方向に貫通した孔７９ａが形成されている。突起８１と孔７９ａは、対物レンズホルダ６０の外周に沿って複数個それぞれ形成されていて、且つ、それぞれの突起８１と孔７９ａとの図示上下方向位置が一致するような位置関係となるように、平面板固定ホルダ７５が対物レンズホルダ６０に取り付けられる。
【００３８】
そして、各突起８１を各孔７９ａに挿入し、突起８１と孔７９ａの間の隙間に接着剤を塗布して固定することにより、筐体８０に対して平面板固定ホルダ７５が対物レンズホルダ６０の軸方向に移動することを規制している。このようにして平面板固定ホルダ７５が筐体８０に固定される構造であれば、既存の光ピックアップ装置に対し設計変更する部品は筐体８０のみとなり、新たに用意する部品は平面板固定ホルダ７５と平面板７１のみであるので、コストアップすることなく対物レンズホルダ６０に平面板固定ホルダ７５を固定することができる。また、図６に示す構造は、平面板７１を平面板固定ホルダ７５に取り付けて平面板７１の外周と平面板固定ホルダ７５の内周に接着剤を塗布して固着し、対物レンズホルダ６０に対物レンズ２５を取り付けた後、筐体８０の突起８１が平面板固定ホルダ７５の孔７９ａを挿通するように平面板固定ホルダ７５を対物レンズホルダ６０に取り付け、最後に平面板固定ホルダ７５の孔７９ａと突起８１とを接着剤で固定するのみで完成するので、構造の変更を簡単に行うことができ、作業効率もよい。
【００３９】
また、突起８１を専用の工具で折るなどして除去することにより、平面板固定ホルダ７５と筐体８０との固定を解除することができる。このようにして平面板固定ホルダ７５と筐体８０との固定状態を解くことにより、平面板固定ホルダ７５を平面板７１とともに対物レンズホルダ６０から取り除くことができるので、表面層が形成された光ディスクの記録・再生を行うことが可能となる。
【００４０】
なお、上記図４〜図６に示す構造においても、対物レンズ２５を通過したレーザー光が光ディスクＤＫに照射される前に光ディスクＤＫの表面層に相当する平面板７１を通過して、この平面板７１によって表面層分の屈折がなされる。したがって、表面層が形成されていない光ディスクＤＫがターンテーブル１３にセットされている場合には、光ディスクの記録層に集光する全てのレーザー光の焦点がほぼ一点になり、記録層における照射スポットが最小となる。このため、本実施形態に係る光ピックアップ装置２０は、表面層が形成されていない未完成の光ディスクＤＫの記録・再生を良好に行うことができる。また、予め対物レンズホルダ６０の開口端６３上に平面板７１が組み込まれている構造であるので、ブルーレイディスクのような、記録・再生中に対物レンズとの距離が非常に小さくなるものにおいても適用できる。
【００４１】
以上、本発明の実施形態について説明したが、本発明は上記実施形態に限定されるものではない。例えば、上記実施形態では光ディスクの検査装置を例として説明したが、通常の記録・再生装置としての光ピックアップ装置にも適用可能である。また、上記実施形態は特にブルーレイディスクのように対物レンズと光ディスク表面との間隔が狭い場合において有用であるが、その他の光ディスク、例えばコンパクトディスク（ＣＤ）、デジタルバーサタイルディスク（ＤＶＤ）あるいは高密度デジタルバーサタイルディスク（ＨＤ  ＤＶＤ）においても適用することができる。
【００４２】
また、上記実施形態では、平面板として、光ディスクに形成される表面層と同一の材質で、且つ形成されるべき保護層と同一の厚さのものを用いているが、既存の対物レンズを使用して表面層が形成されていない光ディスクの記録層に集光する全てのレーザー光の焦点がほぼ一点になるものであれば、上記表面層と完全に同一の材質および厚みのものを用いて平面板を構成することを要しない。ただし、上記の材質および厚みにすることにより、簡便に平面板が作成できるとともに、屈折率も必ず同じとなるので、精度良く光ディスクの記録・再生を行うことができる。
【００４３】
また、平面板の固定、および平面板固定ホルダの固定に際して、上記実施の形態では接着剤を用いていたが、その他、ねじなどの構造的な結合部品を用いてこれらを固定してもよい。また、図６においては、突起８１を破損することにより完成した光ディスクの記録・再生を行い得る構成としたが、突起８１と孔７９ａとの取り付けを工夫することにより、平面板固定ホルダ７５を筐体８０に対して着脱可能に構成することもできる。この場合は、記録・再生すべき光ディスクに応じて平面板固定ホルダ７５を装備したり取り外したりすることもでき、便宜である。
【図面の簡単な説明】
【００４４】
【図１】本発明の実施形態に係る光ピックアップ装置を用いた検査装置の全体概略図である。
【図２】本発明の実施形態において、対物レンズおよび平面板が対物レンズホルダに取り付けられた構成を示す断面図である。
【図３】本発明の実施形態において、対物レンズおよび平面板が対物レンズホルダに取り付けられた他の構成を示す断面図である。
【図４】本発明の実施形態において、対物レンズおよび平面板が対物レンズホルダに取り付けられたさらに他の構成を示す断面図である。
【図５】本発明の実施形態において、対物レンズおよび平面板が対物レンズホルダに取り付けられたさらに他の構成を示す断面図である。
【図６】本発明の実施形態において、対物レンズおよび平面板が対物レンズホルダに取り付けられたさらに他の構成を示す断面図である。
【図７】対物レンズが対物レンズに取り付けられている既存の構成を示す断面図である。
【図８】光ピックアップ装置の対物レンズ付近の構造を示す斜視図である。
【符号の説明】
【００４５】
２０…光ピックアップ装置、２１…レーザー光源、２５…対物レンズ、２５ａ…レンズ部、２５ｂ…把持部、６０…対物レンズホルダ、６１…内周壁（内壁）、６２…外周壁（外壁）、６３…開口端、６４…段差面、６５…環状突部（突部、固定手段）、７１…平面板、７５…平面板固定ホルダ（固定ホルダ）、７７…固定部、７８…ガイド部、７９…取り付け部、７９ａ…孔（孔部）、８０…筐体、８１…突起（突起部）
【図１】
2007317338.tif 000003
【図２】
2007317338.tif 000004
【図３】
2007317338.tif 000005
【図４】
2007317338.tif 000006
【図５】
2007317338.tif 000007
【図６】
2007317338.tif 000008
【図７】
2007317338.tif 000009
【図８】
2007317338.tif 000010